(57)【要約】 【課題】光源点灯後の画像出力を速やかに行うことができるプロジェクタを提供すること。【解決手段】光源ランプ２１１と、液晶パネル２５１と、投射レンズ２６と、これらを含む装置全体の制御を行う制御基板７とを備えたプロジェクタ１は、光源ランプ２１１の動作に伴い発生するノイズを検出するノイズセンサ６を備え、制御基板７を構成するシステムコントローラ７５は、光源ランプ２１１の点灯動作をトリガとして、当該制御基板７を構成するＣＰＵ７１の処理を停止させる処理停止部と、ノイズセンサ６がノイズ閾値未満のノイズを検出すると、ＣＰＵ７１の処理を開始させる処理開始部とを備えている。【選択図】 図１
2006285027.tif 000002
【特許請求の範囲】
【請求項１】
光源と、光源から射出された光束を画像情報に応じて変調する光変調装置と、前記光変調装置にて変調された光束を拡大投射する投射光学装置と、これらを含む装置全体の制御を行う制御手段とを備えたプロジェクタであって、
前記光源の動作に伴い発生するノイズを検出するノイズ検出手段を備え、
前記制御手段は、
前記光源の点灯動作をトリガとして、当該制御手段の処理を停止させる処理停止部と、
前記ノイズ検出手段が所定レベル以下のノイズを検出すると、当該制御手段の処理を開始させる処理開始部とを備えていることを特徴とするプロジェクタ。
【請求項２】
請求項１に記載のプロジェクタにおいて、
前記光源の駆動制御を行う光源駆動手段を備え、
前記処理停止部は、前記光源駆動手段が行う前記光源の点灯制御をトリガとして、前記制御手段の処理を停止させることを特徴とするプロジェクタ。
【請求項３】
請求項１に記載のプロジェクタにおいて、
前記処理停止部は、前記ノイズ検出手段が検出する前記所定レベルより大きいノイズをトリガとして、前記制御手段の処理を停止させることを特徴とするプロジェクタ。
【請求項４】
請求項１〜請求項３のいずれかに記載のプロジェクタにおいて、
前記制御手段は、前記ノイズの所定レベルを設定するノイズレベル設定部を備えていることを特徴とするプロジェクタ。
【発明の詳細な説明】
【技術分野】
【０００１】
本発明は、プロジェクタに関する。
【背景技術】
【０００２】
従来から、会議、学会、展示会等でのプレゼンテーションにプロジェクタを用いることが知られている。このプロジェクタは、光源ランプから射出された光束を、入力する画像情報に応じて変調し、投射光学装置により拡大投射するものである。
【０００３】
このようなプロジェクタは、高圧水銀ランプ等の光源ランプと、これを駆動する光源ランプ駆動回路と、入力された画像情報に対し画像処理を行う制御回路とを備えている。
プロジェクタが起動されると、制御回路に電力が供給され、制御回路は、付設されるＲＯＭ等から所定のプログラムを読み出し、各種制御対象の初期化処理を行うとともに画像処理プログラムを起動させる。
【０００４】
一方、この起動時に、光源ランプ駆動回路にも電力が提供される。光源ランプ駆動回路は、イグナイタによって光源ランプの電極間を昇圧し、放電発光を促す。この際、光源ランプ駆動回路からは、高電圧によるノイズが発生する。このノイズによって、制御回路による種々のプログラムの起動が阻害され、制御回路に対し誤動作や機能低下といったノイズ障害が引き起こされる可能性がある。
【０００５】
このような課題に対し、光源ランプ点灯時に生じるノイズの影響を抑制するプロジェクタが知られている（例えば、特許文献１参照）。特許文献１に記載のプロジェクタは、制御回路が光源ランプを点灯させてから、予め設定された所定時間を経過すると、初期回路が制御回路を初期化する。この所定時間の間に、光源ランプ点灯時に生じたノイズが収束するので、制御回路にノイズ障害が発生しても、その後行われる初期化によって制御回路は正常な状態に復帰される。
【０００６】
【特許文献１】特開２００３−２０７８４３号公報
【発明の開示】
【発明が解決しようとする課題】
【０００７】
しかし、特許文献１に記載のプロジェクタでは、次のような課題が生じる。
前記所定時間が、当該プロジェクタに応じて予め設定された定量であるのに対し、光源ランプの点灯からノイズが収束するまでの時間は、光源ランプ、光源ランプ駆動回路および動作状況等により異なる。このため、例えば、ノイズが当該所定時間の早い段階で収束した場合でも、当該プロジェクタは、所定時間が経過するまで画像出力等の駆動を開始することはできない。従って、当該プロジェクタでは、光源ランプの点灯後に、画像出力等の駆動が速やかに行われない場合があるという課題がある。
【０００８】
本発明の目的は、光源点灯後の画像出力を速やかに行うことができるプロジェクタを提供することである。
【課題を解決するための手段】
【０００９】
前記した目的を達するために、本発明のプロジェクタは、光源と、光源から射出された光束を画像情報に応じて変調する光変調装置と、前記光変調装置にて変調された光束を拡大投射する投射光学装置と、これらを含む装置全体の制御を行う制御手段とを備えたプロジェクタであって、前記光源の動作に伴い発生するノイズを検出するノイズ検出手段を備え、前記制御手段は、前記光源の点灯動作をトリガとして、当該制御手段の処理を停止させる処理停止部と、前記ノイズ検出手段が所定レベル以下のノイズを検出すると、当該制御手段の処理を開始させる処理開始部とを備えていることを特徴とする。
【００１０】
ここで、所定レベルとは、プロジェクタの制御手段にノイズ障害を発生させない最大ノイズレベル、または、当該最大ノイズレベルよりも若干低いノイズレベルのことである。
本発明によれば、処理停止部は、光源の点灯動作をトリガとして、制御手段の処理を停止させる。さらに、ノイズ検出手段が所定レベル以下のノイズを検出すると、処理開始部が、制御手段の処理を開始させる。すなわち、プロジェクタは、ノイズレベルに応じて、画像出力等の駆動を開始するので、所定レベルより大きいノイズの発生時に制御手段を駆動させてノイズ障害を引き起こしたり、ノイズレベルが所定レベル以下に収束しているのにもかかわらず制御手段の処理を停止させることで、プロジェクタの駆動が遅延することを防ぐことができる。従って、プロジェクタは、光源点灯後速やかに画像出力を行うことができる。
また、制御手段の処理は、光源の点灯動作および検出されるノイズレベルに応じて停止および開始される。すなわち、制御手段の処理の停止および開始は、当該プロジェクタの機種、および、当該プロジェクタに内蔵される機器に依ることはない。従って、本発明は、幅広いプロジェクタに適用することができる。
【００１１】
本発明のプロジェクタは、前記光源の駆動制御を行う光源駆動手段を備え、前記処理停止部は、前記光源駆動手段が行う前記光源の点灯制御をトリガとして、前記制御手段の処理を停止させることが好ましい。
【００１２】
本発明によれば、光源駆動手段が、光源に対し点灯制御を行うと、処理停止部によって制御手段の処理が停止される。すなわち、光源点灯制御信号を受信した光源駆動手段が、光源を点灯させるとともに、制御手段の処理が停止される。このように、光源点灯制御手段の出力をトリガとするので、処理停止部は、制御手段の処理の停止時を判断しやすい。従って、光源の点灯時に、処理停止部は、制御手段の処理を確実に停止させることができる。
【００１３】
本発明において、前記処理停止部は、前記ノイズ検出手段が検出する前記所定レベルより大きいノイズをトリガとして、前記制御手段の処理を停止させることが好ましい。
【００１４】
本発明によれば、処理停止部は、ノイズ検出手段が検出するノイズが所定レベルより大きくなれば、制御手段の処理が停止される。このことから、光源が点灯動作を行っていても、ノイズが所定レベル以下である間は、制御手段の処理は実行される。すなわち、制御手段の処理が停止される時間を短縮することができる。従って、プロジェクタは、光源点灯後速やかに画像出力を行うことができる。
【００１５】
本発明のおいて、前記制御手段は、前記ノイズの所定レベルを設定するノイズレベル設定部を備えていることが好ましい。
【００１６】
本発明によれば、制御手段は、ノイズの所定レベルを設定するノイズレベル設定部を備えているので、プロジェクタの構成や内蔵機器の性能に応じた所定レベルを設定することができる。
例えば、プロジェクタは、機種によって内蔵機器のレイアウトが異なるため、光源駆動手段近傍に制御手段が配置されたり、光源駆動手段から離れた位置に配置されたりすることがある。しかし、本発明によれば、このような個々のプロジェクタのレイアウトに応じて、ノイズレベル設定部により適切な所定レベルを設定することにより、制御手段の処理開始タイミングを調節することができる。
従って、機種によらない種々のプロジェクタに、本発明を適用することができる。
【発明を実施するための最良の形態】
【００１７】
以下、本発明の一実施形態を図１〜図４に基づいて説明する。
（１）プロジェクタ１の内部構成
図１は、本実施形態のプロジェクタ１の内部構成を示すブロック図である。
プロジェクタ１は、図１に示すように、光学エンジン２と、電源装置３と、操作パネル４と、ビデオ入力端子５と、ノイズ検出手段としてのノイズセンサ６と、制御手段としての制御基板７とで大略構成されている。
【００１８】
このうち、操作パネル４は、プロジェクタ１の外面に露出して設けられており、電源スイッチ、画像再生スイッチ等が配設されている。各スイッチが操作されると、操作パネル４は、各スイッチに応じた操作信号を後述する制御基板７に出力する。なお、操作パネル４およびスイッチは、赤外線を用いてプロジェクタ１の遠隔制御を行うリモートコントローラ（図示省略）に設けてもよい。
【００１９】
ビデオ入力端子５は、プロジェクタ１と、外部機器および記憶媒体等とを接続し、これら外部機器および記憶媒体等から画像情報を入力する。そして、ビデオ入力端子５を介して入力した画像情報は、後述する制御基板７に入力する。
【００２０】
（２）光学エンジン２の構成
図２は、光学エンジン２の光学系の構成を示す模式平面図である。
光学エンジン２は、図２に示すように、光源ランプ２１１から射出された光束を、後述する制御基板７から入力される画像情報に応じて変調して、スクリーン等に拡大投射するものである。
このような光学エンジン２は、光源装置２１と、インテグレータ照明光学系２２と、色分離光学系２３と、リレー光学系２４と、光学装置２５と、投射光学装置としての投射レンズ２６と、これらを内部に収納する光学部品用筐体（図示省略）と、投射レンズ２６を保持固定するヘッド体（図示省略）とを備えて構成されている。
【００２１】
光源装置２１は、放射光源としての光源ランプ２１１と、リフレクタ２１２と、防爆ガラス２１３とを備えて構成されている。そして、この光源装置２１は、光源ランプ２１１から射出された放射状の光線をリフレクタ２１２で反射して平行光線とし、この平行光線を、防爆ガラス２１３を介して外部へと射出する。
このうち、光源ランプ２１１は、本実施形態では、高圧水銀ランプが採用されている。なお、高圧水銀ランプ以外に、メタルハライドランプやハロゲンランプ等を採用することもできる。また、リフレクタ２１２としては、放物面鏡を採用しているが、放物面鏡の代わりに、平行化凹レンズおよび楕円面鏡を組み合わせたものを採用してもよい。
【００２２】
防爆ガラス２１３は、リフレクタ２１２の開口部分を閉塞する透光性のガラス部材であり、光源ランプ２１１が破裂した場合に、当該光源ランプ２１１の破片が外部に飛散しないように構成されている。
【００２３】
インテグレータ照明光学系２２は、光学装置２５を構成する後述する２つの液晶パネル２５１の画像形成領域をほぼ均一に照明するための光学系である。このインテグレータ照明光学系２２は、第１レンズアレイ２２１と、第２レンズアレイ２２２と、偏光変換素子２２３と、重畳レンズ２２４とを備えて構成されている。
【００２４】
第１レンズアレイ２２１は、光軸方向から見てほぼ矩形状の輪郭を有する小レンズがマトリクス状に配列された構成を有し、各小レンズは、光源装置２１から射出された光束を複数の部分光束に分割している。
第２レンズアレイ２２２は、第１レンズアレイ２２１と略同様な構成を有しており、小レンズがマトリクス状に配列された構成を有している。この第２レンズアレイ２２２は、重畳レンズ２２４とともに、第１レンズアレイ２２１の各小レンズの像を後述する液晶パネル２５１上に結像させる機能を有する。
【００２５】
偏光変換素子２２３は、第２レンズアレイ２２２と重畳レンズ２２４との間に配設される。このような偏光変換素子２２３は、第２レンズアレイ２２２からの光を略１種類の直線偏光に変換するものであり、これにより、光学装置２５での光の利用効率が高められている。
【００２６】
具体的に、偏光変換素子２２３によって略１種類の直線偏光に変換された各部分光は、重畳レンズ２２４によって最終的に光学装置２５の後述する液晶パネル２５１上にほぼ重畳される。偏光光を変調するタイプの液晶パネル２５１を用いたプロジェクタ１では、１種類の直線偏光しか利用できないため、他種類のランダムな偏光光を発する光源ランプ２１１からの光のほぼ半分が利用されない。そこで、偏光変換素子２２３を用いることにより、光源ランプ２１１から射出された光束を略１種類の直線偏光に変換し、光学装置２５での光の利用効率を高めている。
【００２７】
色分離光学系２３は、２枚のダイクロイックミラー２３１，２３２と、反射ミラー２３３とを備え、ダイクロイックミラー２３１，２３２により、インテグレータ照明光学系２２から射出された複数の部分光束を赤（Ｒ）、緑（Ｇ）、青（Ｂ）の２色の色光に分離する機能を有している。
【００２８】
リレー光学系２４は、入射側レンズ２４１と、リレーレンズ２４２と、反射ミラー２４３，２４４とを備え、色分離光学系２３で分離された色光である赤色光を光学装置２５の後述する赤色光用の液晶パネル２５１Ｒまで導く機能を有している。
【００２９】
この際、色分離光学系２３のダイクロイックミラー２３１では、インテグレータ照明光学系２２から射出された光束の赤色光成分と緑色光成分とが透過するとともに、青色光成分が反射する。ダイクロイックミラー２３１によって反射した青色光は、反射ミラー２３３で反射し、フィールドレンズ２５５を通って、光学装置２５の後述する青色光用の液晶パネル２５１Ｂに到達する。このフィールドレンズ２５５は、第２レンズアレイ２２２から射出された各部分光束をその中心軸（主光線）に対して平行な光束に変換する。他の緑色光用、赤色光用の光変調装置の光束入射側に設けられたフィールドレンズ２５５も同様である。
【００３０】
また、ダイクロイックミラー２３１を透過した赤色光と緑色光のうちで、緑色光は、ダイクロイックミラー２３２によって反射し、フィールドレンズ２５５を通って、緑色光用の液晶パネル２５１Ｇに到達する。一方、赤色光は、ダイクロイックミラー２３２を透過してリレー光学系２４を通り、さらにフィールドレンズ２５５を通って、赤色光用の液晶パネル２５１Ｒに到達する。
【００３１】
なお、赤色光にリレー光学系２４が用いられているのは、赤色光の光路の長さが他の色
光の光路の長さよりも長いため、光の発散等による光の利用効率の低下を防止するためである。すなわち、入射側レンズ２４１に入射した部分光束をそのまま、フィールドレンズ２５５に伝えるためである。なお、リレー光学系２４には、２つの色光のうち赤色光を通す構成としたが、これに限らず、例えば、青色光、緑色光を通す構成としてもよい。
【００３２】
光学装置２５は、入射された光束を画像情報に応じて変調してカラー画像を形成するものである。光学装置２５は、色分離光学系２３で分離された各色光が入射される２つの入射側偏光板２５２と、各入射側偏光板２５２の光路後段に配置される２つの液晶パネル２５１（赤色光用の液晶パネルを２５１Ｒ、緑色光用の液晶パネルを２５１Ｇ、青色光用の液晶パネルを２５１Ｂとする）と、各液晶パネル２５１の光路後段に配置される２つの射出側偏光板２５３と、色合成光学装置としてのクロスダイクロイックプリズム２５４とを備える。なお、液晶パネル２５１は、本発明の光変調装置に相当する。
【００３３】
そして、これら入射側偏光板２５２、液晶パネル２５１、射出側偏光板２５３、およびクロスダイクロイックプリズム２５４は、一体的に装置化されている。なお、入射側偏光板２５２、液晶パネル２５１、および、射出側偏光板２５３は、具体的な図示は省略するが、所定の間隔を空けて配置している。
【００３４】
入射側偏光板２５２は、偏光変換素子２２３で偏光方向が略一方向に揃えられた各色光が入射され、入射された光束のうち、偏光変換素子２２３で揃えられた光束の偏光軸と略同一方向の偏光光のみ透過させ、その他の光束を吸収するものである。この入射側偏光板２５２は、例えば、サファイアガラスまたは水晶等の透光性基板上に偏光膜が貼付された構成を有している。
【００３５】
液晶パネル２５１は、一対の透明ガラス基板に電気光学物質である液晶が密閉封入された構成を有し、後述する制御基板から出力される駆動信号に応じて、画像形成領域内にある前記液晶の配向状態が制御され、入射側偏光板２５２から射出された偏光光束の偏光方向を変調する。
射出側偏光板２５３は、入射側偏光板２５２と略同様の構成であり、液晶パネル２５１の画像形成領域から射出された光束のうち、入射側偏光板２５２における光束の透過軸と直交する偏光軸を有する光束のみ透過させ、その他の光束を吸収するものである。
【００３６】
クロスダイクロイックプリズム２５４は、射出側偏光板２５３から射出された色光毎に変調された光学像を合成してカラー画像を形成する光学素子である。このクロスダイクロイックプリズム２５４は、４つの直角プリズムを貼り合わせた平面視正方形状をなし、直角プリズム同士を貼り合わせた界面には、２つの誘電体多層膜が形成されている。これら誘電体多層膜は、液晶パネル２５１Ｒ，２５１Ｂから射出され射出側偏光板２５３を介した各色光を反射し、液晶パネル２５１Ｇから射出され射出側偏光板２５３を介した色光を透過する。このようにして、各液晶パネル２５１Ｒ，２５１Ｇ，２５１Ｂにて変調された各色光が合成され、カラー画像が形成される。
【００３７】
投射レンズ２６は、本発明の投射光学装置に相当し、鏡筒内に複数のレンズ、および、入射光束を偏向するミラーが収納された構成を有し、光学装置２５から射出されたカラー画像を拡大し投射するものである。この投射レンズ２６は、光学装置２５の光束射出側に配置され、後述するヘッド体に固定されている。
【００３８】
光学部品用筐体は、内部に所定の照明光軸Ａが設定され、上述した光学部品２２〜２５を照明光軸Ａに対する所定位置に配置する。
ヘッド体は、例えばアルミニウム合金またはマグネシウム合金等の金属材料から構成され、光学装置２５および投射レンズ２６を一体化するとともに、一体化した装置を光学部品用筐体に対して取付けるものである。
【００３９】
（３）電源装置３の構成
電源装置３は、外部から入力する交流電流を直流変換して、プロジェクタ１を構成する各電子部品に、駆動電力を供給する。電源装置３は、電源ユニット（図示省略）と、光源駆動手段としてのランプ駆動ユニット３１とを備えている。
電源ユニットは、電源ケーブルを通して外部から供給された電力をランプ駆動ユニット３１や制御基板７等に供給するものである。
ランプ駆動ユニット３１は、本発明の光源駆動手段に相当し、前述した光源装置２１に安定した電圧で電力を供給するための変換回路である。電源ユニットから入力した商用交流電流は、このランプ駆動ユニット３１によって整流、変換されて、直流電流や交流矩形波電流となって光源装置２１に供給される。
【００４０】
ランプ駆動ユニット３１は、図示を省略するが、電源ユニットから入力される直流電流を、交流矩形波電流に変換して、光源ランプ２１１を点灯させる回路であり、ダウンチョッパ、インバータブリッジ、イグナイタおよびコントローラを備えている。
ダウンチョッパは、略３００〜４００Ｖで入力する直流電圧を、光源ランプ２１１の点灯に適した略５０〜１５０Ｖに降下させる回路である。
【００４１】
インバータブリッジは、直流電流を交流矩形波電流に変換する部分であり、二対のトランジスタを備えたブリッジ回路として構成され、光源ランプ２１１は、一対のトランジスタ及び他対のトランジスタの間に接続されている。
【００４２】
イグナイタは、光源ランプ２１１の電極間の絶縁破壊を行って、光源ランプ２１１の始動を促す回路である。
このイグナイタは、高圧パルス発生回路及びこの高圧パルス発生回路が一次側に接続されるパルストランスを備え、高圧パルス発生回路で発生した高電圧パルスを、パルストランスの二次側で昇圧し、昇圧した電圧を光源ランプ２１１に印加することにより、光源ランプ２１１の電極間の絶縁が破壊され、電気的導通が確保されて光源ランプ２１１が点灯を開始する。
【００４３】
コントローラは、前述したダウンチョッパ、インバータブリッジ、及びイグナイタを制御する部分である。コントローラは、後述するシステムコントローラ７５から出力される光源ランプ制御信号に基づき、ダウンチョッパ、インバータブリッジ、及びイグナイタ等を制御する。
【００４４】
（４）ノイズセンサ６の構成
ノイズセンサ６は、本発明のノイズ検出手段に相当し、ランプ駆動ユニット３１から発生される電磁波ノイズの観測を行い、検出したノイズをノイズ情報として後述するシステムコントローラ７５に出力する。ノイズセンサ６は、図示を省略するが、電磁波検出部と、増幅器と、フィルタとを備えている。
ランプ駆動ユニット３１の近傍に配置された電磁波検出部は、ランプ駆動ユニット３１から発生される電磁波を観測しており、検出した電磁波を電気信号（ここでは電磁波電気信号）に変換する。電磁波検出部により変換された電磁波電気信号は、増幅器によって増幅された後、フィルタに出力される。
【００４５】
フィルタでは、入力する電磁波電気信号のうち、所定の周波数よりも小さい周波数の電気信号を減衰させることで、高周波数の電気信号を取り出す。この高周波数の電気信号は、ノイズ情報としてシステムコントローラ７５に出力される。
また、ノイズセンサ６は、システムコントローラ７５からセンサ停止信号を受信すると、電磁波の観測を停止する。
【００４６】
（５）制御基板７の構成
制御基板７は、本発明の制御手段に相当し、ＣＰＵ（Central Processing Unit）等を備えた回路基板として構成されている。
この制御基板７は、図１に示すように、ＣＰＵ７１と、ＲＯＭ（Read Only Memory）７２と、ＲＡＭ（Random Access Memory）７３と、ＶＰＵ（Visual Processing Unit）７４と、システムコントローラ７５と、アナログ／デジタル変換器７６と、アナログ／デジタル変換器７７と、液晶パネル制御部７８とを備えている。
【００４７】
このうち、ＣＰＵ７１は、プロジェクタ１の装置本体の制御やデータの計算・加工を実行する中枢部分であり、操作パネル４、ＲＯＭ７２およびＲＡＭ７３からデータを受け取り、演算・加工して、ＶＰＵ７４およびシステムコントローラ７５等に出力する。ＣＰＵ７１は、後述するシステムコントローラ７５から出力されるＣＰＵ停止信号およびＣＰＵ開始信号に応じて、処理を停止および開始する。
【００４８】
さらに、ＣＰＵ７１は、ノイズレベル設定部７１１を備えている。ノイズレベル設定部７１１は、ノイズレベル判定プログラムに含まれるノイズ閾値の設定および変更を行う。
具体的には、ノイズレベル設定部７１１は、まず、操作パネル４から出力される操作信号に応じて、ノイズレベル設定画面を光学エンジン２に投射させる。このノイズレベル設定画面は、ノイズ閾値入力欄を備えておりノイズ閾値の入力を操作者に促す。
【００４９】
なお、ノイズ閾値とは、本発明の所定レベルに相当し、ＣＰＵ７１に対しノイズ障害を発生させない最大ノイズレベルより、若干小さく設定したノイズレベルのことである。ノイズ閾値は、プロジェクタ１の機種に応じて定められる。
ノイズ閾値よりも大きいノイズが制御基板７に侵入すると、制御基板７に誤作動や機能低下といったノイズ障害が引き起こされる可能性がある。
【００５０】
ノイズ閾値入力欄に新しいノイズ閾値が入力されると、ノイズレベル設定部７１１は、ＲＡＭ７３から後述するノイズレベル判定プログラムを呼出し、入力された新しいノイズ閾値を、ノイズレベル判定プログラム中のノイズ閾値データの項に上書きする。
ノイズレベル設定部７１１が、このようにノイズレベル設定処理を行うことにより、プロジェクタ１に新しいノイズ閾値が設定される。後述するシステムコントローラ７５は、このノイズ閾値に基づいて、ＣＰＵ停止信号およびＣＰＵ開始信号を出力する。
【００５１】
なお、このノイズレベル設定処理は、本実施形態ではプロジェクタ１の製造段階において行われるものであるが、例えば、光源ランプ２１１等の部品交換時に、プロジェクタ１のユーザによって実施されてもよい。
【００５２】
このような構成によれば、制御基板７は、ノイズ閾値を設定するノイズレベル設定部７１１を備えているので、プロジェクタ１の構成や内蔵機器の性能に応じたノイズ閾値を設定することができる。
例えば、プロジェクタは、機種によって内蔵機器のレイアウトが異なるため、ランプ駆動ユニット３１近傍に制御基板７が配置されたり、ランプ駆動ユニット３１から離れた位置に配置されたりすることがある。しかし、ノイズレベル設定部７１１によれば、このような個々のプロジェクタのレイアウトに応じて、ノイズレベル設定部７１１により適切なノイズ閾値を設定することにより、ＣＰＵ７１の処理開始タイミングを調節することができる。
従って、機種によらない種々のプロジェクタに、本発明を適用することができる。
【００５３】
ＲＯＭ７２は、ＣＰＵ７１によって処理されるプログラムや各種データが格納されている。具体的には、ＲＯＭ７２には、プロジェクタ初期化処理プログラム、投影準備処理プログラム、および、画像処理プログラム等が格納されている。
【００５４】
なお、プロジェクタ初期化処理とは、プロジェクタ１に設定されていた内容を消去するために、電源投入時にＣＰＵ７１によって行なわれるものである。また、撮影準備処理とは、画像を投射するための下準備として、ＣＰＵ７１によって行われるものである。
【００５５】
ＲＡＭ７３は、ＣＰＵ７１の作業メモリとして利用され、必要に応じて、ＲＯＭ７２の制御データ等が一時的に書き込まれる。さらに、ＲＡＭ７３には、プロジェクタ１の駆動停止時にもデータが保持される記録保持メモリが設けられており、この記録保持メモリには、ノイズ閾値が設定されたノイズレベル判定プログラムが格納されている。
ノイズ閾値は、プロジェクタ１の製造段階において、ＲＡＭ７３に記録されたノイズレベル判定プログラム中のノイズ閾値データの項に設定される。
【００５６】
ＶＰＵ７４は、ビデオ入力端子５を介して入力した画像情報に対し、操作パネル４から出力される画質調節信号に基づき、コントラスト、シャープネス、色合い等を調節する画質調節処理、および、ガンマ補正処理等を行う。ＶＰＵ７４は、これらの処理が行われた画像情報を液晶パネル制御部７８に出力する。
液晶パネル制御部７８は、ＶＰＵ７４から入力する画像情報を液晶パネル２５１に出力し、当該画像情報に基づいて液晶パネル２５１を駆動する。
【００５７】
アナログ／デジタル変換器７６は、操作パネル４から出力されたアナログ形式の操作信号を、デジタル形式信号に変換してＣＰＵ７１に出力する。
アナログ／デジタル変換器７７は、ノイズセンサ６から出力されたアナログ形式のノイズ情報を、デジタル形式に変換して、システムコントローラ７５に出力する。
【００５８】
図３は、システムコントローラ７５の構成を示すブロック図である。
システムコントローラ７５は、ＣＰＵ７１から出力される制御信号に応じて、電源装置３およびノイズセンサ６の駆動制御を行う。また、システムコントローラ７５は、ノイズセンサ６から出力されたノイズ情報に応じて、ＣＰＵ７１の駆動制御を行う。
システムコントローラ７５は、図３に示すように、ノイズ受信部７５１と、ノイズレベル判定部７５２と、停止信号生成部７５３と、開始信号生成部７５４と、信号出力部７５５とを備えている。
【００５９】
ノイズ受信部７５１は、ノイズセンサ６から出力されたノイズ情報を受信するとともに、当該ノイズ情報から得られるノイズに対し平滑化を行う。そして、ノイズ受信部７５１は平滑化を施したノイズを、ノイズ情報としてノイズレベル判定部７５２に出力する。
ノイズレベル判定部７５２は、ノイズ受信部７５１からノイズ情報を受信すると、ＲＡＭ７３からノイズレベル判定プログラムを読み出す。そして、ノイズレベル判定部７５２は、当該ノイズ情報に示されるノイズが、ノイズレベル判定プログラムに設定されたノイズ閾値以下か否かを判定する。ノイズレベル判定部７５２は、この判定結果を、停止信号生成部７５３または開始信号生成部７５４に出力する。
【００６０】
停止信号生成部７５３は、ノイズレベル判定部７５２により当該ノイズがノイズ閾値よりも大きいと判定されると、ＣＰＵ７１の処理を停止させるＣＰＵ停止信号を生成する。
開始信号生成部７５４は、ノイズレベル判定部７５２により当該ノイズがノイズ閾値以下と判定され、かつ、ＣＰＵ７１の処理が停止されている場合、ＣＰＵ７１の処理を開始させるＣＰＵ開始信号を生成する。さらに、開始信号生成部７５４は、ノイズセンサ６の駆動を停止させるセンサ停止信号を生成する。
【００６１】
信号出力部７５５は、停止信号生成部７５３および開始信号生成部７５４で生成されたＣＰＵ停止信号およびＣＰＵ開始信号をＣＰＵ７１に、センサ停止信号をノイズセンサ６に出力する。
本実施形態では、ノイズレベル判定部７５２、停止信号生成部７５３および信号出力部７５５が、本発明の処理停止部に相当する。また、ノイズレベル判定部７５２、開始信号生成部７５４および信号出力部７５５が、本発明の処理開始部に相当する。
【００６２】
（６）制御基板７の作用
図４は、制御基板７が実行する作用を示す図である。
ここで、本実施形態の制御基板７が行う光源点灯時のＣＰＵ制御処理を、図４に示されるフローチャートに基づいて説明する。
観察者は、プロジェクタ１を駆動させるために、操作パネル４に配設された電源スイッチを押す。
【００６３】
制御基板７を構成するＣＰＵ７１は、操作パネル４から出力される電源投入信号を監視しており、電源投入信号が入力するか否かを判定している（Ｓ１）。電源投入信号が入力しない場合、ＣＰＵ７１は、電源投入信号の入力の監視を続行する。
電源投入信号が入力すると、ＣＰＵ７１は、ＲＯＭ７２から初期化処理プログラムを呼出し、この初期化処理プログラムに従って初期化処理を開始する（Ｓ２）。同時に、システムコントローラ７５は、ノイズセンサ６を駆動し、ノイズセンサ６に電磁波観測を開始させる（Ｓ３）。
【００６４】
ＣＰＵ７１は、初期化処理の一環として、ランプ駆動ユニット３１にランプ点灯信号を出力する。すると、ランプ駆動ユニット３１は、受信したランプ点灯信号に応じて、光源ランプ２１１の点灯制御を行う（Ｓ４）。このとき、ランプ駆動ユニット３１を構成するイグナイタが、光源ランプ２１１の電極間の絶縁破壊を行うために高電圧パルスを発生させる。この高電圧パルスの発生によって、ランプ駆動ユニット３１から電磁波が生じる。
【００６５】
ノイズセンサを構成する電磁波検出部は、処理Ｓ４の光源ランプ２１１の点灯によって、ランプ駆動ユニット３１から発生する電磁波の検出を行う（Ｓ５）。ノイズセンサ６は、検出した電磁波のうち、高周波数を持つ電磁波をノイズ情報としてシステムコントローラ７５に出力する。ノイズセンサ６は、この後も電磁波観測を続行する。
【００６６】
システムコントローラ７５を構成するノイズ受信部７５１は、ノイズセンサ６から出力されたノイズ情報を受信し、ノイズの平滑化を行う。そして、ノイズレベル判定部７５２は、ＲＡＭ７３に格納されたノイズレベル判定プログラムを読み出し、ノイズ受信部７５１により平滑化されたノイズがノイズ閾値以下か否かを判定する（Ｓ６）。当該ノイズがノイズ閾値以下と判定されると、処理Ｓ５に戻り、ノイズセンサ６は、電磁波観測を続行し、検出したノイズ情報をシステムコントローラ７５に出力する。
【００６７】
一方、処理Ｓ６にて、当該ノイズがノイズ閾値より大きいと判定されると、停止信号生成部７５３は、ＣＰＵ停止信号を生成する。さらに、信号出力部７５５は、停止信号生成部７５３により生成されたＣＰＵ停止信号をＣＰＵ７１に出力する（Ｓ７）。
【００６８】
ＣＰＵ７１は、システムコントローラ７５からＣＰＵ停止信号を受信すると、実行中の初期化処理を停止する（Ｓ８）。
処理Ｓ９において、ノイズセンサ６は、ランプ駆動ユニット３１から発生する電磁波を観測している。ノイズセンサ６は、検出した電磁波のうち、高周波数を持つ電磁波をノイズ情報としてシステムコントローラ７５に出力する。
【００６９】
ノイズ受信部７５１は、ノイズセンサ６から出力されたノイズ情報を受信し、ノイズの平滑化を行う。そして、ノイズレベル判定部７５２は、ＲＡＭ７３に格納されたノイズレベル判定プログラムを読み出し、ノイズ受信部７５１により平滑化されたノイズがノイズ閾値以下か否かを判定する（Ｓ１０）。当該ノイズがノイズ閾値より大きいと判定されると、処理Ｓ９に戻り、ノイズセンサ６は電磁波の検出を続行する。
【００７０】
一方、処理Ｓ１０にて、当該ノイズがノイズ閾値以下と判定されると、開始信号生成部７５４は、ＣＰＵ７１の動作状態を調査し、ＣＰＵ７１の動作状態が初期化処理停止中であるか否かを判定する（Ｓ１１）。ＣＰＵ７１の動作状態が初期化処理停止中と判定されない場合、制御基板７は、ＣＰＵ制御処理を終了する。
一方、ＣＰＵ７１の動作状態が初期化処理停止中と判定された場合、開始信号生成部７５４は、ＣＰＵ開始信号およびセンサ停止信号を生成する。さらに、信号出力部７５５は、開始信号生成部７５４により生成されたＣＰＵ開始信号をＣＰＵ７１に出力し（Ｓ１２）、センサ停止信号をノイズセンサ６に出力する。
センサ停止信号を受信したノイズセンサ６は、電磁波観測を停止する。
【００７１】
ＣＰＵ７１は、システムコントローラ７５からＣＰＵ開始信号を受信すると、停止中の初期化処理を再開する（Ｓ１３）。
初期化処理が完了すると、ＣＰＵ７１は、ＲＯＭ７２に格納された投影準備処理プログラムを読み出し、この投影準備処理プログラムに従って、投影準備処理を実行する（Ｓ１４）。投影準備処理が完了すると、制御基板７を構成するＶＰＵ７４は、入力する画像情報に対し画像処理を行い、当該画像情報を液晶パネル２５１に出力する（Ｓ１５）。
光学エンジン２は、液晶パネル２５１に出力された画像情報に応じて光束を変調し、拡大投射を行う。
【００７２】
本実施形態によれば、システムコントローラ７５は、ノイズセンサ６がノイズ閾値よりも大きいノイズを検出すると、ＣＰＵ７１の処理を停止させる。さらに、ノイズセンサ６がノイズ閾値以下のノイズを検出すると、ＣＰＵ７１の処理を開始させる。すなわち、プロジェクタ１は、ノイズレベルに応じて、画像出力等の駆動を開始するので、ノイズ閾値より大きいノイズの発生時にＣＰＵ７１を駆動させてノイズ障害を引き起こしたり、ノイズがノイズ閾値以下に収束しているのにもかかわらずＣＰＵ７１の処理を停止させることで、プロジェクタ１の駆動が遅延することを防ぐことができる。従って、プロジェクタ１は、光源ランプ２１１点灯後速やかに画像出力を行うことができる。
【００７３】
また、ＣＰＵ７１の処理は、光源ランプ２１１の点灯動作および検出されるノイズレベルに応じて停止および開始される。すなわち、ＣＰＵ７１の処理の停止および開始は、当該プロジェクタ１の機種、および、当該プロジェクタ１に内蔵される機器に依ることはない。従って、本発明は、幅広いプロジェクタに適用することができる。
【００７４】
システムコントローラ７５は、ノイズセンサ６が検出するノイズがノイズ閾値より大きくなれば、ＣＰＵ７１の処理を停止する。このことから、光源ランプ２１１が点灯動作を行っていても、ノイズがノイズ閾値未満である間は、ＣＰＵ７１の処理は実行される。すなわち、ＣＰＵ７１の処理が停止される時間を短縮することができる。従って、プロジェクタ１は、光源ランプ２１１点灯後速やかに画像出力を行うことができる。
【００７５】
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものであり、本発明を限定するものではないから、それらの形状、材質などの限定の一部若しくは全部の限定を外した部材の名称での記載は、本発明に含まれるものである。
【００７６】
例えば、前記実施形態では、ノイズ閾値よりも大きいノイズ情報が検出されると、これをトリガとしてＣＰＵ７１の処理を停止させたが、本発明では、ＣＰＵ７１がランプ駆動ユニット３１に出力するランプ点灯信号をトリガとして、ＣＰＵ７１の処理を停止させてもよい。この場合、システムコントローラ７５は、ＣＰＵ７１の動作状態を監視しており、ＣＰＵ７１が行うランプ点灯信号出力を検知すると、ＣＰＵ７１にＣＰＵ停止信号を出力する。
【００７７】
このような構成によれば、ランプ駆動ユニット３１が、光源ランプ２１１に対し点灯制御を行うと、システムコントローラ７５によってＣＰＵ７１の処理が停止される。すなわち、ランプ点灯信号を受信したランプ駆動ユニット３１が光源ランプ２１１を点灯させるとともに、ＣＰＵ７１の処理が停止される。このように、ランプ点灯信号の出力をトリガとするので、システムコントローラ７５は、ＣＰＵ７１の処理の停止時を判断しやすい。従って、光源ランプ２１１の点灯時に、システムコントローラ７５は、ＣＰＵ７１の処理を確実に停止させることができる。
【産業上の利用可能性】
【００７８】
本発明は、プロジェクタに利用できる他、ノイズを発生する装置を内蔵した電子機器に対しても利用することができる。
【図面の簡単な説明】
【００７９】
【図１】本発明の一実施形態に係るプロジェクタの内部構成を示すブロック図。
【図２】前記実施形態に係る光学エンジンの光学系を示す模式平面図。
【図３】前記実施形態に係るシステムコントローラの構成を示すブロック図。
【図４】前記実施形態に係る制御基板の作用を説明するためのフロー図。
【符号の説明】
【００８０】
１…プロジェクタ、２１１…光源ランプ（光源）、２５１…液晶パネル（光変調装置）、２６…投射レンズ（投射光学装置）、３１…ランプ駆動ユニット（光源駆動部）、６…ノイズセンサ（ノイズ検出手段）、７…制御基板（制御手段）、７１…ＣＰＵ、７１１…ノイズレベル設定部、７５…システムコントローラ、７５１…ノイズ受信部、７５２…ノイズレベル判定部、７５３…停止信号生成部、７５４…開始信号生成部、７５５…信号出力部
【図１】
2006285027.tif 000003
【図２】
2006285027.tif 000004
【図３】
2006285027.tif 000005
【図４】
2006285027.tif 000006